(57)【要約】【目的】小型の簡単な構成で、１回転の駆動で多量のインクを吸引することができ、一方向の駆動のみで正常な吸引回復を実行することができ、長期間放置してもチューブが塑性変形することがないチューブポンプを有するインクジェット記録装置を提供する。【構成】回転駆動されるポンプホイール１５に複数個のプーリ１７、１８を軸支するに際し、ポンプホイールの一部の回動領域で全てのプーリがポンプフレーム１４内のチューブ１３を押圧しない状態となるように、複数個のプーリの配置を選定する。【選択図】　　　　　　　　　　　　　　　　図２
2004042424.tif 000002
【特許請求の範囲】
【請求項１】
吐出口から記録媒体へインクを吐出して記録を行う記録手段と、該記録手段の吐出口をキャッピングするキャッピング手段と、該キャッピング手段に連通する吸引ポンプと、を有するインクジェット記録装置において、
前記吸引ポンプは、チューブの外形を円周上に規制するチューブ支持面を有するポンプフレームと、駆動手段からの動力により回動するポンプホイールと、該ポンプホイールに回転可能に設けられて前記ポンプフレーム内のチューブをしごく複数のプーリとを備え、
前記複数のプーリは、前記ポンプホイールの所定回動領域ではいずれのプーリとも前記ポンプフレーム内における前記チューブを閉塞させないように、該ポンプホイール上に配置されていることを特徴とするインクジェット記録装置。
【請求項２】
前記ポンプフレームは、前記チューブの外形をほぼ半円形に規制するチューブ支持面を有することを特徴とする請求項１に記載のインクジェット記録装置。
【請求項３】
前記複数のプーリは、前記ポンプホイールの回転中心に関して中心角が約９０度となる位置に配置された２個のプーリであることを特徴とする請求項１又は２に記載のインクジェット記録装置。
【請求項４】
前記プーリが前記チューブを前記ポンプフレームに対して一定の力で押圧するように、該プーリを付勢する押圧手段が設けられていることを特徴とする請求項１〜３のいずれかに記載のインクジェット記録装置。
【請求項５】
前記記録手段は、インクを吐出するために利用される熱エネルギーを発生する電気熱変換体を備えているインクジェット記録手段であることを特徴とする請求項１〜４のいずれかに記載のインクジェット記録装置。
【請求項６】
前記インクジェット記録手段は前記電気熱変換体が発生する熱エネルギーによりインクに生じる膜沸騰を利用して吐出口よりインクを吐出させることを特徴とする請求項５に記載のインクジェット記録装置。
【発明の詳細な説明】
【０００１】
【発明の属する技術分野】
本発明は、吐出口から記録媒体へインクを吐出して記録を行う記録手段と、該記録手段の吐出口をキャッピングするキャッピング手段と、該キャッピング手段に負圧を供給する吸引ポンプと、を有するインクジェット記録装置に関する。
【０００２】
【従来の技術】
プリンタ、複写機、ファクシミリ等の機能を有する記録装置、あるいはコンピューターやワードプロセッサ等を含む複合型電子機器やワークステーションなどの出力機器として用いられる記録装置（プリント装置）としては、画像情報（記録情報）に基づいて、紙、布、プラスチックシート、ＯＨＰ用シート等の記録媒体（被記録材）に向けてインクを吐出することで記録を実行するインクジェット記録装置が普及している。また、これら記録媒体の材質に対する要求も様々なものがあり、近年では、これらの要求に対する開発が進み、通常の記録媒体である紙（薄紙や加工紙を含む）や樹脂薄板（ＯＨＰシート等）などの他に、布、皮革、不織布、更には金属等を記録媒体として用いる記録装置も使用されるようになっている。
【０００３】
前記インクジェット記録装置は、低騒音、低ランニングコストで、装置の小型化が容易であり、カラー化も容易であるなどの観点から、プリンタ、複写機、ファクシミリ等へ広く応用されている。インクジェット記録装置の記録手段（インクジェット記録ヘッド）の前面にはインク滴を吐出するための吐出口（通常複数個）が形成されており、この吐出口の大きさは数十μ程度であるが、最近では高画質化とともに吐出口の大きさは益々小さくなりつつある。そして、ホスト機から送られてくる記録データをもとに記録装置内で処理された吐出信号に基づいて、前記吐出口からインク滴が吐出され、記録媒体上に画像（文字や記号も含む）が記録される。
【０００４】
記録手段から記録媒体へインクを吐出して記録を行う上記インクジェット記録装置においては、微細な吐出口からインクを吐出して記録を行うことから、該吐出口に目詰まりが生じ、吐出不良（不吐出を含む）に起因して記録画像の品位が低下してしまうということがあり、そのための対策として、記録手段のインク吐出性能を維持回復するための回復ユニットを用いることが行なわれている。この回復ユニットとして、記録ヘッドの吐出口をキャッピングするキャッピング手段と、キャッピング状態において前記キャッピング手段に接続されて負圧発生手段としての吸引ポンプを作動させて該キャッピング手段内部に負圧を発生させて吐出口から増粘インクや気泡等の異物を吸引排出することにより該吐出口内のインクをリフレッシュさせることでインク吐出性能を維持回復する吸引回復手段と、記録手段の吐出口面に付着したインク等を異物を拭き取り清掃（クリーニング）するワイピング手段とを備えたものが使用されている。
【０００５】
すなわち、加圧したインクを吐出口からインク滴として記録媒体としての記録紙に吐出して記録データを記録するオンデマンド型インクジェット記録装置では、吐出口からのインク溶剤の蒸発による粘度上昇やインクの乾燥、さらには塵埃の付着やインク吐出口内部へ気泡の混入などにより記録不良を生じることがあり、これらに対処するために、前述のような回復ユニットが設けられている。
前記キャッピング手段は、休止時には吐出口を封止する単なる蓋として作用するだけでなく、記録ヘッド（記録手段）への新たなインク補充や吐出口の目詰まりが生じた場合には、吐出口に吸引ポンプからの負圧を作用させる封止手段として機能する。
【０００６】
吐出口に負圧を作用させる上記吸引ポンプとしては、可撓性チューブ内の体積変化を利用して負圧を発生させるチューブポンプが多く使用されている。このようなチューブポンプには、略半円形に規制されて支持されたチューブを、回動中心に対して対称位置（１８０度の対向位置）に配設された２個のプーリ（加圧コロ）で扱くことにより連続吸引が可能な形態のものと、１個のプーリでチューブを扱くことにより一回転である一定量のインクを吸引する形態のものが知られている。
前者の場合には、２個のプーリのうちの１個のプーリが常にチューブを押しつぶしているため、インクジェット記録装置を長期にわたり使用しないでいるとチューブが塑性変形してしまい、適切なポンプ動作が得られなくなる場合があり、これに対処する方法として、ポンプを逆転させることによりプーリをチューブから離間させることで、チューブの塑性変形を解消する方法が、例えば特開平６−２８６１５８号公報に開示されている。
【０００７】
【発明が解決しようとする課題】
一方、インクジェット記録装置においても、製造コストや装置サイズ上の制約から、吸引ポンプ、キャッピング手段、ワイピング手段、ＡＳＦ（自動給紙装置）などの複数機構を、１つの駆動源からの駆動を切替えることにより駆動することが要請されている。このような場合、吸引ポンプの駆動としては一方向の駆動しかとれない場合も少なくない。
そのため、前述の回転中心に関して相対向して配置された２つのプーリでしごく（扱く）従来のチューブポンプの場合、チューブの塑性変形を解消するためには正転と逆転の駆動が必要であるにも関わらず、このような２方向回転駆動を採る余裕がなくなることがある。
一方、１個のプーリでチューブをしごくチューブポンプの場合は、チューブとプーリとが接触しない領域があるので、その領域にプーリを位置しておけば、長期間放置していてもチューブが塑性変形することはない。そのため、一方向の駆動で済ませることができる。
【０００８】
しかし、インクジェット記録装置の高速化に伴い、多数の吐出口を配列した記録ヘッドを備えたものが一般化することにより吸引回復の際の吸引インク量も非常に多くなる。また、１個のプーリでチューブをしごく（扱く）場合は、プーリがチューブから離れるとキャップ内の負圧は大気圧に開放されてしまうので、一回転で必要な量のインクを吸引しなければ正常な回復を行うことが困難になり、そのため、必要量のインクを吸引するためには、チューブ径を大きくしたり、ポンプ径を大きくすることが必要になり、記録装置の小型軽量化に反することになり、装置サイズなどの関係上実現性に限度がある。
【０００９】
本発明はこのような技術的課題に鑑みてなされたものであり、本発明の目的は、簡単かつ小型な構成で、チューブポンプの１回転で十分なインク吸引量を確保するとともに、長期間放置におけるチューブの塑性変形を防止することができ、一方向の駆動のみで正常な吸引回復を実行することが可能な吸引回復手段を備えたインクジェット記録装置を提供することである。
【００１０】
【課題を解決するための手段】
本発明（請求項１）は、上記目的を達成するため、吐出口から記録媒体へインクを吐出して記録を行う記録手段と、該記録手段の吐出口をキャッピングするキャッピング手段と、該キャッピング手段に連通する吸引ポンプと、を有するインクジェット記録装置において、前記吸引ポンプは、チューブの外形を円周上に規制するチューブ支持面を有するポンプフレームと、駆動手段からの動力により回動するポンプホイールと、該ポンプホイールに回転可能に設けられて前記ポンプフレーム内のチューブをしごく複数のプーリとを備え、前記複数のプーリは、前記ポンプホイールの所定回動領域ではいずれのプーリとも前記ポンプフレーム内における前記チューブを閉塞させないように、該ポンプホイール上に配置されていることを特徴とする。
【００１１】
請求項２〜４の発明は、上記請求項１の構成に加えて、前記ポンプフレームは、前記チューブの外形をほぼ半円形に規制するチューブ支持面を有する構成、前記複数のプーリは、前記ポンプホイールの回転中心に関して中心角が約９０度となる位置に配置された２個のプーリである構成、あるいは、前記プーリが前記チューブを前記ポンプフレームに対して一定の力で押圧するように、該プーリを付勢する押圧手段が設けられている構成とすることにより、一層効率よく、上記目的を達成するものである。
【００１２】
【作用】
１個のプーリでチューブを扱く（しごく）場合に比べ、複数のプーリによりチューブをしごく（扱く）ことでポンプを１回転させた時に多くの吸引量を得ることができるので、多数の吐出口を配列した記録ヘッドなどに必要な吸引量を得るためにポンプを大型化しなくても済ませることが可能になる。また、いずれのプーリによってもチューブを押圧（閉塞）しない領域を設けたので、その領域にプーリを位置しておけば、長期間放置していても、チューブが塑性変形することはない。そのため、一方向の駆動のみでポンプ駆動を行うことができる。
また、ポンプフレームの支持面に対してチューブを一定の力が押圧する手段をプーリ側に設ける構成を採れば、不必要に大きいトルクが生じることがなく、安定したポンプ動作が可能になる。
【００１３】
【発明の実施の形態】
以下、図面を参照して本発明の実施の形態を具体的に説明する。なお、各図面を通して、同一符号は同一又は対応部分を示すものである。図１は本発明を適用したインクジェット記録装置の概略構成を示す模式的斜視図である。図１において、キャリッジ１は、ガイド部材（ガイド軸）２に往復移動可能に案内支持されるとともに、タイミングベルト３を介してキャリッジモータ４に連結されており、該キャリッジモータ４の制御駆動によってプラテン５に沿って平行に往復駆動される。キャリッジ１には記録手段としての記録ヘッド７が搭載されており、該記録ヘッド７の上部にはインクカートリッジ８が着脱可能に装着されている。キャリッジ１上の記録ヘッド７は、前記プラテン５によって支持された記録媒体としての記録用紙６に対して、吐出口を向けるような姿勢で搭載されている。
【００１４】
１０は紙送りモータ（搬送モータ）であり、該紙送りモータ１０は、不図示の遊星歯車機構などを用いた切替え機構によりの正逆回転駆動に切り替えられることで、不図示の紙送りローラと吸引ポンプ（負圧発生手段）１２とを選択的に駆動することができる。この場合、装置サイズや製造コストなど様々な要因によって駆動切替え機構が制限されるため、前記吸引ポンプ１２の駆動は一方向のみの駆動となっている。
キャリッジ１の移動範囲内であって記録領域を外れた位置には、クリーニング手段（ワイピング手段）としてのワイパ９、及びキャッピング手段としてのキャップ１１が配設されており、キャリッジ１の移動に連動してワイパ９により記録ヘッド７の吐出口面をワイピングしたり、キャリッジ１のホームポジションで記録ヘッド７の吐出口をキャップ１１により封止できるように構成されている。
【００１５】
記録手段としての記録ヘッド７は、熱エネルギーを利用してインクを吐出するインクジェット記録ヘッドであって、熱エネルギーを発生するための電気熱変換体を備えたものである。また、前記記録ヘッド７は、前記電気熱変換体により印加される熱エネルギーによってインク内に膜沸騰を生じさせ、その時に生じる気泡の成長、収縮による圧力変化を利用して吐出口よりインクを吐出させ、記録を行うものである。
【００１６】
図８は、記録ヘッドのインク吐出部の構造を模式的に示す部分斜視図である。図８において、記録媒体としての記録用紙と所定の隙間（例えば、約０．２〜約２．０ミリ程度）　をおいて対面する吐出口面８１には、所定のピッチで複数の吐出口８２が形成され、共通液室８３と各吐出口８２とを連通する各液路８４の壁面に沿ってインク吐出用のエネルギーを発生するための電気熱変換体（発熱抵抗体など）８５が配設されている。記録ヘッド７は、前記吐出口８２が主走査方向（該記録ヘッド及びキャリッジの移動方向）と交叉する方向に並ぶような位置関係で、キャリッジ１に搭載されている。こうして、画像信号または吐出信号に基づいて対応する電気熱変換体８５を駆動（通電）して、液路８４内のインクを膜沸騰させ、その時に発生する圧力によって吐出口８２からインクを吐出させる記録手段（記録ヘッド）が構成されている。』
【００１７】
図２は本発明を適用したインクジェット記録装置の第１実施例の要部構成のポンプ動作時（吸引動作時）の状態を示す模式図である。図１及び図２において、記録ヘッド７の吐出口８２を覆うためのキャップ１１は吸引ポンプ（チューブポンプ）１２を構成するチューブ１３に接続されており、インクカートリッジ８が交換された場合に行う記録ヘッド７へのインク充填操作時や、吐出口に目詰まりが生じた場合に行う吸引回復操作時に、ポンプユニット１２によってキャップ１１内に負圧を発生させて記録ヘッド７から強制的にインクを吐出させることができる。
【００１８】
図２において、内周が円弧状のポンプフレーム１４の内周に沿って弾性を持つチューブ１３が配置してある。この場合、ポンプフレーム１４の内周（チューブ１３の案内支持面）は、チューブ１３の這いまわしやポンプフレーム１４の成形を考慮して、１８０度もしくは略半円形にされている。１５はポンプホイールであり、該ポンプホイールは不図示の駆動手段により回転軸１６を中心に図中矢印Ａ方向に回転する。このポンプホイール１５上には、回転中心（回転軸１６）に関して中心角が約９０度となる２箇所にプーリ１８、１９が回転自在に軸支されている。つまり、ポンプホイール１５上に、２個のプーリ１８、１９が配設されている。
【００１９】
前記ポンプホイール１５が矢印Ａ方向に駆動されるとプーリ１７、１８はポンプホイール１５上の軸１９、２０を中心に回転しながらチューブ１３を押圧し（押しつぶして扱く）、該チューブに連通されたキャップ１１内に負圧を発生させ、記録ヘッド７の吐出口８２からインクを吸引する吸引回復が行われる。ここで、上記プーリの数は、２個以上の複数個としてもよい。
【００２０】
図３は本発明を適用したインクジェット記録装置の第１実施例の要部構成（図２の構成）のポンプ開始時の状態を示す模式図であり、図４は図３の構成のポンプ終了時の状態を示す模式図であり、図５は図３の構成のポンプ待機時の状態を示す模式図である。
通常の吸引ポンプでは、半円形のポンプフレーム１４に沿わせたチューブ１３を１個のプーリで扱くように構成されており、従って、ポンプホイールを３６０度回転させても、その間にチューブ１３を扱いているポンプ動作範囲（インク吸引量に対応する）は約１８０度の範囲である。
これに対して、本実施例に係るインクジェット記録装置のチューブポンプ（吸引ポンプ）は、図２〜図５に示すように、ポンプホイール１５の回転中心に関して中心角が約θ度となる位置に配置された２個のプーリ１７、１８を備えている。そして、この角度θは、略９０度（ほぼ直角）の角度に選定することが好ましい。
【００２１】
このように、２個のプーリ１７、１８が中心角θを成して配置されているので、吸引ポンプの吸引開始から吸引終了まで、すなわち図３に示すようにプーリ１７がチューブ１３を押圧し始める位置から図４に示すようにプーリ１８がチューブ１３の押圧を終了する位置までの１８０度＋θの範囲で、チューブ１３を扱く（しごく）ことができる。ここで、角度θは前述のごとく約９０度もしくは略直角にすることが望ましい。このようなプーリ１７、１８の配置構成により、１個のプーリでチューブを扱く（しごく）場合に比べ、本実施例のように２個のプーリ１７、１８によりチューブ１３を扱くことで、吸引ポンプを１回転させた時に多くのインク吸引量を得ることができる。
【００２２】
図６は本発明に係る第１実施例のセンサ構成を示す模式図である。図６において、２１はセンサフラグであり、該センサフラグ２１は、不図示の駆動手段により前記回転軸１６を中心にポンプホイール１５と共に回転する。センサフラグ２１がセンサ２２を横切ると信号が送られ、図２〜図５に示す吸引ポンプの回転位置が検出される。ここで、前記センサ２２としては、光学式のものやメカ的に接点を持つものなど、目的に合致したものであれば任意のセンサを使用することができる。なお、図６でも、図２〜図５中の各符号と同じ符号は同じ部分を示すものである。
【００２３】
そこで、上記センサ２２を利用することで、吸引ポンプの不使用時に、図５に示すようなプーリ１７、１８のいずれもがチューブ１３を押圧しないポンプ待機状態（全てのプーリがチューブを押圧しない退避位置にある状態）に確実に設定することができる。つまり、吸引ポンプの非使用時（放置時）にはチューブ１３を押圧していない状態に確実に維持できるので、長期間放置する場合でも、チューブ１３に塑性変形が生じることはない。
【００２４】
図７は本発明を適用したインクジェット記録装置の第２実施例の要部を示す模式図である。図７において、プーリ１７、１８は、それぞれのプーリホルダ２５、２６上の軸２３、２４を中心に回転自在に軸支されている。また、各プーリホルダ２５、２６は、ポンプホイール１５に設けられた軸２７、２８を回転中心に揺動可能に支持されている。そして、ポンプホイール１５に設けられた各ばねホルダ３１、３２と前記各プーリホルダ２５、２６との間には、ばね（図示の例では圧縮コイルばね）ばね２９、３０が装着されている。これらのばね２９、３０は、プーリホルダ２５、２６のそれぞれを図７中の矢印Ｂ、矢印Ｃ方向にほぼ一定の力で押圧している。
【００２５】
図７の第２実施例は以上説明した点で前述の第１実施例と相違するが、その他の部分では第１実施例の場合と実質上同じ構成を有しており、対応部分を同じ符号で示すとともに、それらの詳細説明は省略する。
図７の第２実施例の構成によれば、前述の第１実施例の効果に加えて、プーリ１７、１８はチューブ１３をポンプフレーム１４のチューブ支持面に対してほぼ一定の力で押圧することが可能となり、そのため、吸引ポンプの動作時に不必要に大きいトルクが生じることを防ぐことができ、円滑で安定したポンプ動作を実現することができる。
【００２６】
以上説明した実施例によれば、１個のプーリでチューブを扱く（しごく）場合に比べ、複数（上記実施例では２個）のプーリ１７、１８によりチューブ１３を扱く（しごく）ことで、吸引ポンプ（チューブポンプ）を１回転させた時に多くのインク吸引量を確保することができるので、ポンプを大型化することなく、１回転当でも、多数の吐出口を配列した記録ヘッドなどに必要な多量のインク吸引量を確保することができる。また、図５に示すようにチューブ１３をいずれのプーリによっても閉塞させない領域を実現できるので、その領域に全てのプーリを位置しておくことにより、長期間放置する場合でも、チューブ１３に塑性変形が生じることを防止することができる。そのため、一方向の駆動のみでポンプ駆動を行うことができる。
【００２７】
また、図７の構成によれば、プーリ１７、１８によりポンプフレーム１４に対してチューブ１３を一定の力で押圧することができるので、不必要に大きなトルクが生じることはなく、従って、吸引ポンプの動作を常に安定した円滑なものにすることができる。なお、前述の実施例では、吸引ポンプが２個のプーリ１７、１８を使用するものである場合を例に挙げて説明したが、本発明は、３個以上の複数のプーリを使用する場合にも同様に適用可能なものであり、かかる構成もその範囲内の含むものである。
【００２８】
なお、以上の実施例では、記録手段としての記録ヘッドを主走査方向に移動させながら記録するシリアル型記録装置の場合を例に挙げて説明したが、本発明は、記録媒体の全幅または一部をカバーする長さのラインタイプの記録ヘッドを用いて副走査のみで記録するライン記録方式（ライン型記録装置）の場合にも、同様に適用することができ、同様の効果を達成し得るものである。
【００２９】
また、本発明は、記録ヘッドの数にも関わりなく自由に実施できるものであり、１個の記録手段で記録する記録装置の他、複数の記録手段を用いる記録装置、あるいは同一色彩で異なる濃度で記録する複数の記録手段を用いる階調記録装置、さらには、これらを組み合わせた記録装置の場合にも、同様に適用することができ、同様の効果を達成し得るものである。さらに、本発明は、記録ヘッドとインクタンクを一体化した交換可能なヘッドカートリッジを用いる構成、記録ヘッドとインクタンクを別体にし、その間をインク供給用のチューブ等で接続する構成など、記録ヘッドとインクタンクの配置構成がどのような場合にも同様に適用することができ、同様の効果が得られるものである。
【００３０】
なお、本発明は、インクジェット記録装置の場合、例えば、ピエゾ素子等の電気機械変換体等を用いる記録手段を使用するものにも適用できるが、中でも、熱エネルギーを利用してインクを吐出する方式の記録手段を使用するインクジェット記録装置において優れた効果をもたらすものである。かかる方式によれば、記録の高密度化、高精細化が達成できるからである。
【００３１】
【発明の効果】
以上の説明から明らかなごとく、本発明（請求項１）によれば、吐出口から記録媒体へインクを吐出して記録を行う記録手段と、該記録手段の吐出口をキャッピングするキャッピング手段と、該キャッピング手段に連通する吸引ポンプと、を有するインクジェット記録装置において、前記吸引ポンプは、チューブの外形を円周上に規制するチューブ支持面を有するポンプフレームと、駆動手段からの動力により回動するポンプホイールと、該ポンプホイールに回転可能に設けられて前記ポンプフレーム内のチューブをしごく複数のプーリとを備え、前記複数のプーリは、前記ポンプホイールの所定回動領域ではいずれのプーリとも前記ポンプフレーム内における前記チューブを閉塞させないように、該ポンプホイール上に配置されている構成としたので、
簡単かつ小型な構成で、チューブポンプの１回転で十分なインク吸引量を確保するとともに、長期間放置におけるチューブの塑性変形を防止することができ、一方向の駆動のみで正常な吸引回復を実行することが可能な吸引回復手段を備えたインクジェット記録装置が提供される。
【００３２】
請求項２〜４の発明によれば、上記請求項１の構成に加えて、前記ポンプフレームは、前記チューブの外形をほぼ半円形に規制するチューブ支持面を有する構成、前記複数のプーリは、前記ポンプホイールの回転中心に関して中心角が約９０度となる位置に配置された２個のプーリである構成、あるいは、前記プーリが前記チューブを前記ポンプフレームに対して一定の力で押圧するように、該プーリを付勢する押圧手段が設けられている構成とすることにより、一層効率よく、上記効果を達成できるインクジェット記録装置が提供される。
【図面の簡単な説明】
【図１】本発明を適用したインクジェット記録装置の一実施例を示す模式的斜視図である。
【図２】本発明を適用したインクジェット記録装置の第１実施例の要部構成のポンプ動作時の状態を示す模式図である。
【図３】本発明を適用したインクジェット記録装置の第１実施例の要部構成のポンプ動作開始時の状態を示す模式図である。
【図４】本発明を適用したインクジェット記録装置の第１実施例の要部構成のポンプ動作終了時の状態を示す模式図である。
【図５】本発明を適用したインクジェット記録装置の第１実施例の要部構成のポンプ待機時の状態を示す模式図である。
【図６】本発明を適用したインクジェット記録装置の第１実施例の要部のセンサ構成を示す模式図である。
【図７】本発明を適用したインクジェット記録装置の第２実施例の要部構成のポンプ動作時の状態を示すを示す模式図である。
【図８】図１中の記録手段のインク吐出部の構造を模式的に示す部分斜視図である。
【符号の説明】
１　　　　キャリッジ
２　　　　ガイド部材
３　　　　タイミングベルト
４　　　　モータ
５　　　　プラテン
６　　　　記録媒体（記録用紙）
７　　　　記録手段（記録ヘッド）
８　　　　インクカートリッジ
９　　　　ワイパ
１０　　　モータ
１１　　　キャップ
１２　　　吸引ポンプ（チューブポンプ）
１３　　　チューブ
１４　　　ポンプフレーム
１５　　　ポンプホイール
１６　　　回転軸
１７　　　プーリ
１８　　　プーリ
１９　　　軸
２０　　　軸
２１　　　センサフラグ
２２　　　センサ
２５　　　プーリホルダ
２６　　　プーリホルダ
２９　　　ばね
３０　　　ばね
８１　　　吐出口面
８２　　　吐出口
８５　　　電気熱変換体
【図１】
2004042424.tif 000003
【図２】
2004042424.tif 000004
【図３】
2004042424.tif 000005
【図４】
2004042424.tif 000006
【図５】
2004042424.tif 000007
【図６】
2004042424.tif 000008
【図７】
2004042424.tif 000009
【図８】
2004042424.tif 000010